(57)【要約】【課題】本発明の目的は、電装品箱内部のスイッチを容易に押すことが可能な機構を有する冷凍装置の室外ユニットを提供することである。【解決手段】  本発明の冷凍装置の室外ユニット１００は、制御基板５４と、ガイド部材５２と、電装品ケーシング５１と、を備える。制御基板５４には強制運転スイッチ５５ｃが設けられている。ガイド部材５２は、棒状部材が挿入可能であり、棒状部材を強制運転スイッチ５５ｃの近傍に導くガイド空間Ｇを形成する。電装品ケーシング５１は、強制運転スイッチ５５ｃ及びガイド部材５２を収納する。【選択図】図３
2014043975.tif 000002
【特許請求の範囲】
【請求項１】
スイッチ（５５ｃ）が設けられた基板（５４）と、
棒状部材（７０）が挿入可能であり、前記棒状部材を前記スイッチの近傍に導くガイド空間（Ｇ）を形成するガイド部材（５２）と、
前記スイッチ及び前記ガイド部材を収納する電装品ケーシング（５１）と、
を備える、冷凍装置の室外ユニット。
【請求項２】
前記ガイド部材が形成するガイド空間は筒状である、請求項１に記載の冷凍装置の室外ユニット。
【請求項３】
前記ガイド部材により形成されるガイド空間は、前記スイッチの近傍には指が到達しない大きさである、請求項２に記載の冷凍装置の室外ユニット。
【請求項４】
前記ガイド部材は、前記スイッチの近傍に近づくほど前記ガイド空間が狭くなっている、請求項３に記載の冷凍装置の室外ユニット。
【請求項５】
前記ガイド部材は前記スイッチに面した開口を有しており、
前記開口を介して前記棒状部材の先端と前記スイッチとが接触可能である、請求項３に記載の冷凍装置の室外ユニット。
【請求項６】
前記ガイド部材は、前記棒状部材の動きに応じて可動し前記スイッチと接触可能な可動部材（５２ｅ）を有している、請求項３に記載の冷凍装置の室外ユニット。
【請求項７】
前記可動部材は、前記棒状部材が前記スイッチの近傍に近づくのに応じて可動し、前記スイッチと接触する、請求項６に記載の冷凍装置の室外ユニット。
【請求項８】
前記可動部材は弾性変形可能な部材である、請求項６に記載の冷凍装置の室外ユニット。
【発明の詳細な説明】
【技術分野】
【０００１】
本発明は、冷凍装置の室外ユニットに関する。
【背景技術】
【０００２】
特許文献１（特開２００５−６９５８３号公報）には、強制運転のためのスイッチを備える室外機が開示されている。室外機は、各種制御部品が設けられた基板を収容する電装品箱を内部に備えており、スイッチはこの基板に設けられている。室外機のメンテナンスなどを行う場合に、作業者等は、室外機の外部を覆うケーシングの一部は取り外すが、電装品箱は取り外さずにそのまま作業を行う。室外機を強制的に運転させる場合には、作業者は、例えば工具等を用いて電装品箱の外部から基板上のスイッチを押す。このとき、作業者は、工具とスイッチとの関係を目視で確認しつつ、工具によりスイッチを押す。
【発明の概要】
【発明が解決しようとする課題】
【０００３】
しかし、前述の通りスイッチは電装品箱内部の基板に設けられており、電装品箱の外部からスイッチを押すことが困難である。
【０００４】
そこで、本発明の目的は、電装品箱内部のスイッチを容易に押すことが可能な機構を有する冷凍装置の室外ユニットを提供することである。
【課題を解決するための手段】
【０００５】
本発明の第１観点に係る冷凍装置の室外ユニットは、基板と、ガイド部材と、電装品ケーシングと、を備える。基板にはスイッチが設けられている。ガイド部材は、棒状部材が挿入可能であり、棒状部材をスイッチの近傍に導くガイド空間を形成する。電装品ケーシングは、スイッチ及びガイド部材を収納する。
【０００６】
この冷凍装置の室外ユニットによれば、ガイド部材は、電装品ケーシングの外側方向からスイッチの方向に沿って形成されており、棒状部材をスイッチの近傍に導く。よって、作業者は、棒状部材を用いて容易、かつ正確にスイッチを押すことができる。なお、スイッチの近傍には、スイッチそのものの位置だけでなく、ガイド部材により導かれた棒状部材の先端が可動な範囲においてスイッチを押すことのできる範囲を含む。
【０００７】
ガイド部材は、例えば２面からなるＬ字状の板部材、３面からなるコの字状の板部材などにより形成される。また、ガイド空間の各面は板状に限られず、湾曲した曲面状であってもよい。
【０００８】
本発明の第２観点に係る冷凍装置の室外ユニットは、第１観点に係る冷凍装置の室外ユニットにおいて、ガイド部材が形成するガイド空間は筒状である。
【０００９】
ここでは、筒状のガイド空間は棒状部材をスイッチの近傍に効率よく導く。また、作業者は、筒状のガイド空間を一見するだけで、棒状部材の挿入位置及びスイッチの操作位置を把握することができる。
【００１０】
本発明の第３観点に係る冷凍装置の室外ユニットは、第２観点に係る冷凍装置の室外ユニットにおいて、ガイド部材により形成されるガイド空間は、スイッチの近傍には指が到達しない大きさである。
【００１１】
ここで、基板上に設けられたスイッチは非絶縁部材により形成されており、絶縁部材を介さずに指でスイッチを触ると危険である。よって、ガイド部材のガイド空間は、例え作業者が指を挿入したとしても、スイッチの近傍までは指が到達しない大きさである。あるいは、ガイド部材のガイド空間の大きさが、そもそも指が挿入できない大きさであるとさらに好ましい。
【００１２】
本発明の第４観点に係る冷凍装置の室外ユニットは、第３観点に係る冷凍装置の室外ユニットにおいて、ガイド部材は、スイッチの近傍に近づくほどガイド空間が狭くなっている。
【００１３】
この構成によれば、ガイド部材がスイッチの近傍に近づくほど狭くなっているため、棒状部材はガイド部材に沿って自動的にスイッチの近傍に導かれる。よって、作業者は棒状部材によりスイッチを容易に操作可能である。
【００１４】
本発明の第５観点に係る冷凍装置の室外ユニットは、第３観点に係る冷凍装置の室外ユニットにおいて、ガイド部材はスイッチに面した開口を有している。この開口を介して棒状部材の先端とスイッチとが接触可能である。
【００１５】
この構成によれば、作業者は、ガイド部材により棒状部材の先端をスイッチの近傍に近づけた後、棒状部材を可動させることで開口を介してスイッチを操作できる。
【００１６】
本発明の第６観点に係る冷凍装置の室外ユニットは、第３観点に係る冷凍装置の室外ユニットにおいて、ガイド部材は、棒状部材の動きに応じて可動しスイッチと接触可能な可動部材を有している。
【００１７】
この構成によれば、例えば、作業者が棒状部材をガイド部材に挿入して操作すると、棒状部材の先端はガイド部材の可動部材をスイッチの方向に押す。
【００１８】
本発明の第７観点に係る冷凍装置の室外ユニットは、第６観点に係る冷凍装置の室外ユニットにおいて、可動部材は、棒状部材がスイッチの近傍に近づくのに応じて可動し、スイッチと接触する。
【００１９】
この構成によれば、棒状部材がガイド部材に挿入されるにつれて、棒状部材が可動部材を押して可動部材はスイッチと接触する方向に移動する。よって、作業者は、棒状部材をガイド部材に沿って挿入するだけで容易にスイッチを押すことができる。
【００２０】
本発明の第８観点に係る冷凍装置の室外ユニットは、第６観点に係る冷凍装置の室外ユニットにおいて、可動部材は弾性変形可能な部材である。
【００２１】
この構成によれば、棒状部材からの押す力で可動部材を弾性変形させてスイッチを押すことができる。
【発明の効果】
【００２２】
本発明の第１観点に係る冷凍装置の室外ユニットでは、ガイド部材は、電装品ケーシングの外側方向からスイッチの方向に沿って形成されており、棒状部材をスイッチの近傍に導く。よって、作業者は、棒状部材を用いて容易、かつ正確にスイッチを押すことができる。
【００２３】
本発明の第２観点に係る冷凍装置の室外ユニットでは、筒状のガイド空間は棒状部材をスイッチの近傍に効率よく導く。また、作業者は、筒状のガイド空間を一見するだけで、棒状部材の挿入位置及びスイッチの操作位置を把握することができる。
【００２４】
本発明の第３観点に係る冷凍装置の室外ユニットでは、スイッチの近傍には指が到達しないため、非絶縁部材であるスイッチへの接触の危険が減る。
【００２５】
本発明の第４観点に係る冷凍装置の室外ユニットでは、ガイド部材がスイッチの近傍に近づくほど狭くなっているため、棒状部材はガイド部材に沿って自動的にスイッチの近傍に導かれる。よって、作業者は棒状部材によりスイッチを容易に操作可能である。
【００２６】
本発明の第５観点に係る冷凍装置の室外ユニットでは、作業者は、ガイド部材により棒状部材の先端をスイッチの近傍に近づけた後、棒状部材を可動させることで開口を介してスイッチを操作できる。
【００２７】
本発明の第６観点に係る冷凍装置の室外ユニットでは、作業者が棒状部材をガイド部材に挿入して操作すると、棒状部材の先端はガイド部材の可動部材をスイッチの方向に押す。
【００２８】
本発明の第７観点に係る冷凍装置の室外ユニットでは、棒状部材がガイド部材に挿入されるにつれて、棒状部材が可動部材を押して可動部材はスイッチと接触する方向に移動する。よって、作業者は、棒状部材をガイド部材に沿って挿入するだけで容易にスイッチを押すことができる。
【００２９】
本発明の第８観点に係る冷凍装置の室外ユニットでは、棒状部材からの押す力で可動部材を弾性変形させてスイッチを押すことができる。
【図面の簡単な説明】
【００３０】
【図１】前板が外された室外ユニットの全体図である。
【図２】前板、天板及び右側板が外された室外ユニットである。
【図３】電装品箱の斜視図である。
【図４】電装品ケーシングの説明図であり、（ａ）は正面図、（ｂ）は左側面図、（ｃ）は右側面図及び（ｄ）は上面図である。
【図５】端子台ユニットの説明図であり、（ａ）は正面図、（ｂ）は右側面図、（ｃ）は上面図である。
【図６】ガイド部材の説明図である。
【図７】ドライバがガイド部材に挿入されている様子を示すガイド部材の斜視図である。
【図８】図７のＡ−Ａにおけるガイド部材の断面図である。
【図９】ガイド空間Ｇにドライバが挿入されている様子を示す断面図である。
【図１０】ガイド部材の変形例１Ａを示す斜視図である。
【図１１】ガイド部材の変形例１Ｂを示す斜視図である。
【図１２】ガイド部材の変形例１Ｂの別の例を示す斜視図である。
【図１３】図７におけるガイド空間ＧのＡ−Ａ断面図の別の一例である。
【発明を実施するための形態】
【００３１】
以下、図面を参照しながら、本発明の実施形態について説明する。なお、以下の実施形態は、本発明の具体例であって、本発明の技術的範囲を限定するものではない。
【００３２】
＜実施形態＞
（１）室外ユニットの全体構成
まず、冷凍装置の室外ユニットの全体構成について説明する。
【００３３】
図１は前板が外された室外ユニットの斜視図であり、図２は前板、天板及び右側板が外された室外ユニットの斜視図である。
【００３４】
室外ユニット１００は、空気調和を行う対象空間である居室の外部に設置されるものである。室外ユニット１００は、冷媒連絡配管（図示せず）を介して、室内の壁面や天井等に取り付けられている室内ユニット（図示せず）と接続されている。
【００３５】
（１−１）室外ユニットの外側面
室外ユニット１００は、図１、図２に示すように、外側面を形成する、前板（図示せず）、天板１０、右側板１１及び底板１２を有する。
【００３６】
天板１０は、室外ユニット１００の上面に配置され、室外ユニット１００の内部空間の上面を覆う。天板１０は板金で形成されている。
【００３７】
前板（図示せず）は、例えばポリプロピレンなどの樹脂から形成されており、室外ユニット１００の前面に設けられている。前板には、複数のスリット状の吹出し孔が設けられている。後述のファン２０の回転により室外ユニット１００の内部空間に取り込まれた空気流は、吹出し孔を通って室外ユニット１００の外部へ排出される。
【００３８】
右側板１１は、室外ユニット１００の内部空間の右側を覆い、板金で形成されている。
【００３９】
底板１２は、室外ユニット１００の下面に配置され、室外ユニット１００の内部空間の下方を覆う。底板１２は板金で形成されている。
【００４０】
（１−２）室外ユニットの内部空間
室外ユニット１００の内部空間には、仕切板１３、ファン２０、室外熱交換器３０、圧縮機４０及び電装品箱５０が配置されている。
【００４１】
仕切板１３は、底板１２に対して垂直に設けられており、上面視において屈曲した形状をなしている。仕切板１３は、前板から背面に向かって右側板１１に概ね平行な部分と、その平行な部分から右側板１１に向かって延びる部分と、を有している。この仕切板１３は、室外ユニット１００の内部空間を機械室Ｓ１と送風機室Ｓ２とに仕切る。機械室Ｓ１は仕切板１３と右側板１１と前板の右側一部分とに囲まれる空間であり、雨風の侵入が抑えられている。従って、機械室Ｓ１には、図１および図２に示すように、電装品箱５０や圧縮機４０などの風雨から保護する必要のある機械部品の多くが収容される。室外ユニット１００の内部空間の他の空間は、室外ユニット１００の外部から取り込まれた空気が、室外熱交換器３０を通って室外へと排出される送風機室Ｓ２となっている。
【００４２】
ファン２０は、複数の羽を有するプロペラファンであり、送風機室Ｓ２に配置されている。ファン２０は、送風機室Ｓ２のうち室外熱交換器３０の前方、すなわち下流側に位置しており、前板の背面に位置している。ファン２０は、正面視において、送風機室Ｓ２の略中央に配置されており、仕切板１３の左側方に位置している。また、ファン２０の中心にはファンモータ収容部２１が設けられている。ファンモータ収容部２１には、ファンモータ２２が前面側から挿入されて収容される。ファン２０は、ファンモータ２２の回転軸に固定され、ファンモータ２２によって前後方向に平行な軸を中心に回転駆動される。ファン２０によって生成された空気流は、室外ユニット１００の背面側から送風機室Ｓ２へと取り込まれ、室外熱交換器３０及び前板の吹出し孔等を通って、室外ユニット１００の外部へと排出される。
【００４３】
室外熱交換器３０は送風機室Ｓ２に配置されており、通過する空気との間で熱交換を行う。室外熱交換器３０は、略Ｌ字形状の形状をなしており、室外ユニット１００の背面に沿う部分と、背面に沿う部分から左側に屈曲して延在する部分と、を有する。
【００４４】
圧縮機４０は、機械室Ｓ１に配置されており底板１２に固定される。圧縮機４０は、冷媒を圧縮するためのものであって、圧縮機モータ（図示せず）によって駆動される。
【００４５】
電装品箱５０は、機械室Ｓ１の上部に、仕切板１３に取り付けられて配置される。電装品箱５０には、各種装置の制御を行うためのマイクロコンピュータチップや制御プログラムを格納するメモリなどの電子部品５５（図３参照）が内装されている。電装品箱５０内の電子部品５５は、圧縮機４０等とハーネス４１などによって接続される。電装品箱５０については次に詳述する。
【００４６】
（２）電装品箱
図３は電装品箱の斜視図である。電装品箱５０は、電装品ケーシング５１、ガイド部材５２、端子台ユニット５３及び制御基板５４を有している。
【００４７】
（２−１）電装品ケーシング
電装品ケーシング５１は、弾性を有する樹脂材料から一体成型された箱状の形状を有し、前面全体に開口が形成されている。電装品ケーシング５１は、制御基板５４を内部に収容する。電装品ケーシング５１の前面右側には、端子台５３ｄを有する端子台ユニット５３が設けられている。
【００４８】
図４は電装品ケーシングの説明図であり、（ａ）は正面図、（ｂ）は左側面図、（ｃ）は右側面図及び（ｄ）は上面図である。電装品ケーシング５１は、上面５１ａ、第１側面５１ｂ、第２側面５１ｃ、第３側面５１ｄ及び底面５１ｅを有する。上面５１ａは、電装品箱５０が仕切板１３に取り付けられた状態で天板１０に沿う面であり、制御基板５４の上部を覆う面である。底面５１ｅは、上面５１ａに対向する面であり、制御基板５４の下部を覆う面である。第３側面５１ｄは、機械室Ｓ１側に対向して制御基板５４の背面を覆う側面である。第３側面５１ｄには側面開口５１ｆが設けられており、ヒートシンク（図示せず）が配置される。ヒートシンクは、インバータ制御素子等の運転時の発熱を外部に逃すための部材であり、アルミ板及び銅板等から構成され多数の伝熱フィンを有する。ヒートシンクは、制御基板５４の背面から送風機室Ｓ２側に突出するように側面開口５１ｆに嵌め込まれる。伝熱フィンは制御基板５４上の電子部品５５に接触しており、電子部品５５から発生した熱を送風機室Ｓ２に放出する。第１側面５１ｂ及び第２側面５１ｃは、それぞれ制御基板５４の左側及び右側側方を覆う側面である。これらの上面５１ａ、第１側面５１ｂ、第２側面５１ｃ、第３側面５１ｄ及び底面５１ｅが図３に示すように箱状を成すことで、制御基板５４を収納する空間を形成する。
【００４９】
また、電装品ケーシング５１は、棒状部材であるドライバ７０（図７参照）等が挿入可能なガイド部材５２を有する。
【００５０】
（２−２）端子台ユニット
図５は端子台ユニットの説明図であり、（ａ）は正面図、（ｂ）は右側面図、（ｃ）は上面図である。端子台ユニット５３は、電装品ケーシング５１の右前面に取り付けられている。端子台ユニット５３は、端子台開口５３ａ、端子台右側壁５３ｂ、端子台左側壁５３ｃ、端子台５３ｄ（図３参照）及び端子台背面部５３ｅを有する。端子台開口５３ａは、端子台背面部５３ｅの平面部５３ｅ−１から端子台右側壁５３ｂを切りおこすことで形成されている。作業者は、端子台開口５３ａを介して後述のガイド部材５２にドライバ７０等を挿入し、強制運転スイッチ５５ｃを操作する。端子台右側壁５３ｂ及び端子台左側壁５３ｃは、端子台背面部５３ｅの平面部５３ｅ−１から突出しており、端子台５３ｄの右側方及び左側方を覆うように形成されている。端子台５３ｄは、室内ユニットとの間で送受信されるデータを伝送するための配線等が接続される端子部品からなる。
【００５１】
端子台背面部５３ｅは、平面部５３ｅ−１と突出部５３ｅ−２とを有する。平面部５３ｅ−１は、端子台右側壁５３ｂ及び端子台左側壁５３ｃの基部と接続されている。突出部５３ｅ−２は、平面部５３ｅ−１から端子台５３ｄが設けられた前面とは反対の背面に突出する。端子台背面部５３ｅは、電装品ケーシング５１の上面５１ａ及び第２側面５１ｃとネジを介して接続される。
【００５２】
（２−３）制御基板
制御基板５４は、電装品ケーシング５１前面の開口を介して電装品ケーシング５１の内部空間に導入され、図３に示すようにその背面が電装品ケーシング５１の第３側面５１ｄに対向するように配置される。よって、制御基板５４はその板状面が天板１０及び底板１２に対して垂直方向に沿って配置される。制御基板５４上には、マイクロコンピュータ、抵抗、リアクタ５５ａ、コンデンサ５５ｂ及び強制運転スイッチ５５ｃ（図６参照）などの電子部品５５が配置されている。リアクタ５５ａは、圧縮機４０等を駆動するモータの整流回路を構成する。強制運転スイッチ５５ｃは、室外ユニット１００を含む冷凍装置を強制運転させるためのスイッチである。強制運転スイッチ５５ｃは制御基板５４上に載置されているため、電装品ケーシング５１の前面の開口からは離れて位置している。この強制運転スイッチ５５ｃは、作業者が後述のガイド部材５２にドライバ７０等を挿入することで操作される。
【００５３】
（２−４）ガイド部材
図６はガイド部材の説明図である。図７はドライバがガイド部材に挿入されている様子を示すガイド部材の斜視図である。図８は図７のＡ−Ａにおけるガイド部材の断面図である。
【００５４】
（ａ）ガイド部材の概略
図３、図６〜図８に示すように、ガイド部材５２は、電装品ケーシング５１の第２側面５１ｃに形成されている。ガイド部材５２は、上面である第１面５２ａと、側面である第２面５２ｂと、下面である第３面５２ｃと、奥側の面である第４面５２ｄと、を有する。第２面５２ｂは電装品ケーシング５１内の制御基板５４側の面である。第１面５２ａ及び第３面５２ｃは第２面５２ｂに対して屈曲して形成される面であり、第１〜第３面５２ａ〜５２ｃの断面形状はコの字状を有している。第１〜第４面５２ａ〜５２ｄが電装品ケーシング５１の第２側面５１ｃに取り付けられることで、ガイド空間Ｇ（図６参照）を形成する。このようにガイド空間Ｇは、第１〜第４面５２ａ〜５２ｄと第２側面５１ｃとにより囲まれた筒状に形成されている。作業者は、ドライバ７０を筒状のガイド部材５２に挿入し、ドライバ７０を操作することで強制運転スイッチ５５ｃのＯＮ／ＯＦＦを制御する。
【００５５】
ガイド空間Ｇが筒状であるため、ドライバ７０は強制運転スイッチ５５ｃの近傍に効率よく導かれる。また、作業者は、筒状のガイド空間Ｇを一見するだけで、ドライバ７０の挿入位置及び強制運転スイッチ５５ｃの操作位置を把握することができる。
【００５６】
（ｂ）可動部材
ガイド部材５２の第２面５２ｂには、ドライバ７０の動きに応じて可動し強制運転スイッチ５５ｃと接触可能な可動部材５２ｅが設けられている。可動部材５２ｅは第２面５２ｂに例えばコの字状に切り込みを入れることで形成される。切り込みは、コの字状の閉じた部分がガイド空間Ｇの奥側に位置し、コの字状の開口がガイド空間Ｇの手前に位置するように形成される。なお、コの字状に開口している部分は、可動部材５２ｅの平面と連続している。作業者がドライバ７０をガイド部材５２の奥に挿入して可動部材５２ｅを押すと、第２面５２ｂと連続している可動部材５２ｅの一端を起点として、第２面５２ｄとは切り離された部分が持ち上がる。可動部材５２ｅの強制運転スイッチ５５ｃと対向する部分には突起部５２ｆが設けられている。よって、作業者が可動部材５２ｅを操作することにより、突起部５２ｆが強制運転スイッチ５５ｃをＯＮ又はＯＦＦする。
【００５７】
可動部材５２ｅは弾性変形可能な部材で形成されていると好ましい。作業者がドライバを操作することで、ドライバ７０からの押圧に応じて可動部材５２ｅは容易に変形する。よって、可動部材５２ｅにより強制運転スイッチ５５ｃを容易に押すことができる。
【００５８】
なお、上記では可動部材５２ｅは第２面５２ｂに切り込みを入れることで第２面５２ｂと一連に形成されている。しかし、第２面５２ｂとは別途に可動部材５２ｅを形成してもよい。例えば、可動部材５２ｅを設ける位置に対応して第２面５２ｂに開口を形成し、その開口に別途形成した可動部材５２ｅを取り付けてもよい。
【００５９】
（ｃ）ガイド空間Ｇの大きさ
ガイド部材５２が形成するガイド空間Ｇは、図７に示すようにドライバ７０等を挿入可能な大きさに形成されていればよい。さらに、ガイド空間Ｇは、例え作業者が指を挿入したとしても、強制運転スイッチ５５ｃの近傍までは指が到達しない大きさに形成されていると好ましい。あるいは、ガイド空間Ｇは、ドライバ７０等は挿入可能であるが、指が挿入できない大きさに形成されているとさらに好ましい。制御基板５４上に設けられた強制運転スイッチ５５ｃは非絶縁部材により形成されており、絶縁部材を介さずに指で強制運転スイッチ５５ｃを触ると危険である。上記のようにガイド部材５２に指が入らない大きさ、あるいは、強制運転スイッチ５５ｃの近傍までは指が到達しない大きさに形成されていると、強制運転スイッチ５５ｃを指で触る危険がなくなる。
【００６０】
（ｄ）ガイド空間Ｇの形状
また、ガイド部材５２のガイド空間Ｇは、強制運転スイッチ５５ｃの近傍に近づくほど狭くなっていると好ましい。ここで、図６及び図８に示すように、電装品ケーシング５１の第２側面５１ｃはガイド空間Ｇの一面を形成している。第２側面５１ｃは、奥側に向かってガイド空間Ｇを狭めるように、ガイド部材５２の第２面５２ｂに対して傾斜している。強制運転スイッチ５５ｃは制御基板５４上に形成されており、電装品ケーシング５１の奥側に位置する。ガイド空間Ｇが奥側に向かって狭まるように形成されているため、ガイド空間Ｇに挿入されたドライバ７０は、電装品ケーシング５１の奥側に配置された強制運転スイッチ５５ｃの近傍に近づくように案内される。
【００６１】
図９はガイド空間Ｇにドライバが挿入されている様子を示す断面図である。作業者は、強制運転スイッチ５５ｃを操作する場合、図３に示す端子台ユニット５３の端子台開口５３ａからドライバ７０をガイド部材５２に挿入する。ガイド空間Ｇが強制運転スイッチ５５ｃの近傍に近づくほど狭くなっているため、作業者がドライバ７０を奥側に挿入するにつれて、ドライバ７０はガイド部材５２に沿って自動的に強制運転スイッチ５５ｃの近傍に導かれる。また、ドライバ７０が奥側に挿入されるのにつれて、図９に示すようにドライバ７０は可動部材５２ｅを強制運転スイッチ５５ｃ側に押す。よって、作業者は、ドライバ７０をガイド部材５２に沿って挿入するだけで容易に強制運転スイッチ５５ｃを操作することができる。
【００６２】
なお、ガイド空間Ｇを奥側に向かって狭くする方法は、電装品ケーシング５１の第２側面５１ｃを傾斜させることに限定されず、第１〜第３面５２ａ〜５２ｃを傾斜させることで狭くしても良い。また、別途の部材をガイド空間Ｇに設けることで、ガイド空間Ｇを奥側に向かって狭くしてもよい。
【００６３】
（ｅ）ガイド部材の形成方法
上記のガイド部材５２は、電装品ケーシング５１の第２側面５１ｃに第１〜第４面５２ａ〜５２ｄが取り付けられて形成される。つまり、ガイド部材５２の第１〜第４面５２ａ〜５２ｄと電装品ケーシング５１とは別体で形成され、第１〜第４面５２ａ〜５２ｄが電装品ケーシング５１に取り付けられる。しかし、ガイド部材５２は、電装品ケーシング５１と一体に形成されてもよい。つまり、ガイド部材５２の第１〜第４面５２ａ〜５２ｄ及び電装品ケーシング５１の第３側面５１ｃが一連一体に形成されてもよい。
【００６４】
（ｆ）ガイド部材の作用及び効果
ガイド部材５２は、電装品ケーシング５１の外側方向からスイッチの方向に沿って形成されており、ドライバ７０等の棒状部材を強制運転スイッチ５５ｃの近傍に導く。よって、作業者は、ドライバ７０等を用いて容易、かつ正確に強制運転スイッチ５５ｃを押すことができる。
【００６５】
強制運転スイッチ５５ｃの操作をし易くする方法としては、電装品ケーシング５１の外側に近い位置に別の基板を設けてその基板にスイッチを配置するなどの方法がある。しかし、上記構成によれば、強制運転スイッチ５５ｃの位置を制御基板５４から別の位置に変更する必要がない。よって、既存の構成を維持しながらも容易かつ正確に強制運転スイッチ５５ｃを操作できるため、別途の構成の追加及び構成の変更によるコストアップを抑制できる。
【００６６】
（３）特徴
（３−１）
冷凍装置を強制的に運転させる場合には、作業者は、例えば工具等を用いて電装品箱５０の外部から制御基板５４上の強制運転スイッチ５５ｃを押す。このとき、作業者は、ドライバ７０などの棒状部材をガイド部材５２に挿入する。ガイド部材５２は、電装品ケーシング５１の外側方向から強制運転スイッチ５５ｃの方向に沿って形成されており、棒状部材を強制運転スイッチ５５ｃの近傍に導く。よって、作業者は、棒状部材を用いて容易、かつ正確に強制運転スイッチ５５ｃを押すことができる。なお、強制運転スイッチ５５ｃの近傍には、強制運転スイッチ５５ｃそのものの位置だけでなく、ガイド部材５２により導かれた棒状部材の先端が可動な範囲において強制運転スイッチ５５ｃを押すことのできる範囲を含む。
【００６７】
また、上記構成にれば、強制運転スイッチ５５ｃの操作をし易くするために電装品ケーシングの外側に近い位置に別の基板を設けてその基板に強制運転スイッチ５５ｃを配置するなど、強制運転スイッチ５５ｃの配置を変更する必要がない。よって、既存の構成を維持しながらも容易かつ正確に強制運転スイッチ５５ｃを操作できるため、別途の構成の追加及び構成の変更によるコストアップを抑制できる。
【００６８】
ガイド部材５２は、例えば２面からなるＬ字状の板部材、３面からなるコの字状の板部材などにより形成される。また、ガイド空間Ｇの各面は板状に限られず、湾曲した曲面状であってもよい。
【００６９】
（３−２）
ガイド部材５２が形成するガイド空間は筒状である。
【００７０】
筒状のガイド空間Ｇは棒状部材を強制運転スイッチ５５ｃの近傍に効率よく導く。また、作業者は、筒状のガイド空間Ｇを一見するだけで、棒状部材の挿入位置及び強制運転スイッチ５５ｃの操作位置を把握することができる。
【００７１】
（３−３）
ガイド部材５２により形成されるガイド空間Ｇは、強制運転スイッチ５５ｃの近傍には指が到達しない大きさである。
【００７２】
制御基板５４上に設けられた強制運転スイッチ５５ｃは非絶縁部材により形成されており、絶縁部材を介さずに指で強制運転スイッチ５５ｃを触ると危険である。よって、ガイド部材５２のガイド空間Ｇは、例え作業者が指を挿入したとしても、強制運転スイッチ５５ｃの近傍までは指が到達しない大きさである。あるいは、ガイド部材５２のガイド空間Ｇの大きさが、そもそも指が挿入できない大きさであるとさらに好ましい。
【００７３】
（３−４）
ガイド部材５２は、強制運転スイッチ５５ｃの近傍に近づくほどガイド空間Ｇが狭くなっている。
【００７４】
ガイド部材５２が強制運転スイッチ５５ｃの近傍に近づくほど狭くなっているため、棒状部材はガイド部材５２に沿って自動的に強制運転スイッチ５５ｃの近傍に導かれる。よって、作業者は棒状部材により強制運転スイッチ５５ｃを容易に操作可能である。
【００７５】
（３−５）
ガイド部材５２は強制運転スイッチ５５ｃに面した開口を有している。この開口を介して棒状部材の先端と強制運転スイッチ５５ｃとが接触可能である。
【００７６】
作業者は、ガイド部材５２により棒状部材の先端を強制運転スイッチ５５ｃの近傍に近づけた後、棒状部材を可動させることで開口を介して強制運転スイッチ５５ｃを操作できる。
【００７７】
（３−６）
ガイド部材５２は、棒状部材の動きに応じて可動し強制運転スイッチ５５ｃと接触可能な可動部材５２ｅを有している。
【００７８】
例えば、作業者が棒状部材をガイド部材５２に挿入して操作すると、棒状部材の先端はガイド部材５２の可動部材５２ｅを強制運転スイッチ５５ｃの方向に押す。
【００７９】
（３−７）
可動部材５２ｅは、棒状部材が強制運転スイッチ５５ｃの近傍に近づくのに応じて可動し、強制運転スイッチ５５ｃと接触する。
【００８０】
棒状部材がガイド部材５２に挿入されるにつれて、棒状部材が可動部材５２ｅを押して可動部材５２ｅは強制運転スイッチ５５ｃと接触する方向に移動する。よって、作業者は、棒状部材をガイド部材５２に沿って挿入するだけで容易に強制運転スイッチ５５ｃを押すことができる。
【００８１】
（３−８）
可動部材５２ｅは弾性変形可能な部材である。棒状部材からの押す力で可動部材５２ｅを弾性変形させて強制運転スイッチ５５ｃを押すことができる。
【００８２】
（４）変形例
（４−１）変形例１Ａ
上記実施形態では、ガイド部材５２の第２面５２ｂに可動部材５２ｅを設けている。しかし、第２面５２ｂに開口５２ｇを設けてもよい。図１０はガイド部材の変形例１Ａを示す斜視図である。開口５２ｇは、強制運転スイッチ５５ｃの近傍に設けられている。作業者は、ドライバ７０をガイド部材５２に挿入して、ドライバ７０を強制運転スイッチ５５ｃ側に動かす。ドライバ７０の先端が、開口５２ｇを介して強制運転スイッチ５５ｃを押すことで、強制運転スイッチ５５ｃをＯＮ又はＯＦＦすることができる。
【００８３】
（４−２）変形例１Ｂ
上記実施形態では、第１〜第４面５２ａ〜５２ｄが電装品ケーシング５１の第２側面５１ｃに取り付けられることでガイド部材５２が形成される。しかし、ガイド部材５２は、上面である第１面５２ａと、下面である第３面５２ｃと、奥側の面である第４面５２ｄと、から形成されてもよい。図１１はガイド部材の変形例１Ｂを示す斜視図である。図１１のガイド部材５２は、制御基板５４側の面を有していない。作業者は、ドライバ７０を第１面５２ａ、第３面５２ｃ及び電装品ケーシング５１の第２側面５１ｃに沿って挿入する。作業者がドライバ７０を強制運転スイッチ５５ｃ側に動かすことで、ドライバ７０の先端により強制運転スイッチ５５ｃをＯＮ又はＯＦＦすることができる。
【００８４】
図１２はガイド部材の変形例１Ｂの別の例を示す斜視図である。図１２のガイド部材５２は、図１１のガイド部材５２に比べてさらに第１面５２ａを有しておらず、第３面５２ｃ及び第４面５２ｄのみを有している。よって、作業者は、ドライバ７０を第３面５２ｃ及び電装品ケーシング５１の第３側面５１ｃに沿って挿入し、強制運転スイッチ５５ｃを操作する。
【００８５】
なお、電装品ケーシング５１の第３側面５１ｃがガイド部材５２の第４面５２ｄも兼ねる場合には、第４面５２ｄを省略することもできる。
【００８６】
（４−３）変形例１Ｃ
上記実施形態では、ガイド空間Ｇの一部を形成する電装品ケーシング５１の第１側面５１ｂは、図８に示すように奥側に向かって階段状に狭まる形状を有している。しかし、ガイド空間Ｇが奥側に行くほど狭まる形状であれば階段状に限定されない。図１３は、図７におけるガイド空間ＧのＡ−Ａ断面図の別の一例である。図１３に示すように、第２側面５１ｃはスロープをなすように奥側に行くほど狭まる形状であってもよい。
【００８７】
（４−４）変形例１Ｄ
上記実施形態では、ガイド部材５２は板状の面により形成されている。しかし、ガイド部材５２を形成する各面は板状に限られず、湾曲した曲面状であってもよい。
【００８８】
（４−５）変形例１Ｅ
上記実施形態では、強制運転スイッチ５５ｃの操作のためにのみガイド部材５２が設けられている。しかし、ガイド部材５２が設けられるスイッチは強制運転スイッチ５５ｃに限定されず、あらゆるスイッチに対して上記ガイド部材５２を適用可能である。特に、冷凍装置の設置作業及びメンテナンス作業の効率を低下させているスイッチに対してガイド部材５２を設けるのが好ましい。
【産業上の利用可能性】
【００８９】
以上の通り、本発明によれば電装品箱内部のスイッチを容易に押すことが可能な機構を提供することができるので、スイッチが設けられたあらゆる冷凍装置に適用可能である。
【符号の説明】
【００９０】
Ｓ１        機械室   
Ｓ２        送風機室 
１０        天板     
１１        右側板   
１２        底板     
１３        仕切板   
２０        ファン   
３０        室外熱交換器    
４０        圧縮機   
５０        電装品箱 
５１        電装品ケーシング       
５１ａ      上面     
５１ｂ      第１側面 
５１ｃ      第２側面 
５１ｄ      第３側面 
５１ｅ      底面     
５１ｆ      側面開口 
５２        ガイド部材      
５２ａ      第１面   
５２ｂ      第２面   
５２ｃ      第３面   
５２ｄ      第４面   
５２ｅ      可動部材 
５２ｆ      突起部   
５２ｇ      開口     
５３        端子台ユニット  
５３ａ      端子台開口      
５３ｂ      端子台右側壁    
５３ｃ      端子台左側壁    
５３ｄ      端子台   
５３ｅ      端子台背面部    
５４        制御基板 
５５        電子部品 
５５ａ      リアクタ 
５５ｂ      コンデンサ      
５５ｃ      強制運転スイッチ       
７０        ドライバ 
１００      室外ユニット    
【先行技術文献】
【特許文献】
【００９１】
【特許文献１】特開２００５−６９５８３号公報
【図１】
2014043975.tif 000003
【図２】
2014043975.tif 000004
【図３】
2014043975.tif 000005
【図４】
2014043975.tif 000006
【図５】
2014043975.tif 000007
【図６】
2014043975.tif 000008
【図７】
2014043975.tif 000009
【図８】
2014043975.tif 000010
【図９】
2014043975.tif 000011
【図１０】
2014043975.tif 000012
【図１１】
2014043975.tif 000013
【図１２】
2014043975.tif 000014
【図１３】
2014043975.tif 000015